(57)【特許請求の範囲】
【請求項１】
馳部を有する折板屋根板の馳部に取り付けられる屋根上設置物用取り付け金具であって、
左ピースと右ピースと締め付け具とから成っており、
左ピース及び右ピースには、
上面と、
上面の一側端縁を折り下げた折り下げ面と、
上面の他側端縁を略直角に折り下げた側面と、
側面の下側端縁を折り下げ面方向に折り曲げた挟持片とが形成されており、
左ピースと右ピースとが開口部同士を対向させて組み合わせられ、
挟持片が折板屋根板の馳部に締め付け具を用いて取り付けられたときに、
前記折り下げ面同士が圧接することができる形状に形成されており、
左ピースまたは右ピースの折り下げ面には、
該折り下げ面の下側端縁を上面とは反対方向に折り曲げた係合面が形成されており、
該係合面は、
係合面が形成されていない方のピースの折り下げ面の下側端縁よりも下位に位置している屋根上設置物用取り付け金具。
【請求項２】
係合面が形成されていない方のピースの折り下げ面には、
係合面を係止することができる形状の係止部が軒棟方向に間隔をあけて形成されており、
係合面の先端縁は、
係合面が形成されていない方のピースの折り下げ面の下側端縁より内側方向に挿入されている請求項１記載の屋根上設置物用取り付け金具。
【請求項３】
請求項１または請求項２記載の屋根上設置物用取り付け金具の左ピースと右ピースとが、
開口部同士を対向させて組み合わせられて折板屋根板の山部に載置されており、
前記屋根上設置物用取り付け金具の各挟持片が折板屋根板の馳部に締め付け具で締め付けられて固定されたときに、
それぞれの折り下げ面が圧接されており、
上面に屋根上設置物が固定される屋根上設置物用取り付け金具の取り付け構造。
【請求項４】
請求項１または請求項２記載の屋根上設置物用取り付け金具において、
左ピース及び右ピースには、
折板屋根板の馳部と直交する角度で形成された軒側補強片と棟側補強片とが形成されており、
左ピースまたは右ピースのうち少なくとも一方のピースの軒側補強片及び棟側補強片は、
屋根上設置物用取り付け金具が馳部に取り付けられたときに、
馳部に係止することができる形状に形成されており、    
左ピースと右ピースとが、開口部同士を対向させて組み合わせられて折板屋根板の山部に載置されており、
屋根上設置物用取り付け金具の各挟持片が折板屋根板の馳部に締め付け具で締め付けられて固定されたときに、
それぞれの折り下げ面が圧接されており、
少なくとも一方のピースの軒側補強片及び棟側補強片が馳部に係止されており、
上面に屋根上設置物が固定される屋根上設置物用取り付け金具の取り付け構造。
【発明の詳細な説明】
【技術分野】
【０００１】
本発明は、タイトフレームに固定された、山部と谷部を交互に形成し、それぞれの山部の端縁を立ち上げて形成された馳部同士を接合して葺かれた折板屋根板の上に、太陽電池モジュールや緑化パネル等の屋根上設置物を取り付けるための取り付け金具及びその取り付け構造に関する。
【背景技術】
【０００２】
既設または新設の折板屋根板の上に、太陽電池モジュール等の屋根上設置物を取り付ける場合、馳部を取り付け金具で挟み込むようにして取り付けることがある。
その従来の技術について、まず、図２２に基づいて説明する（特許文献１参照）。
特開２０００−３３６８５７号公報の記載によれば、「連結片相互を緊締ボルトにて緊締するから、馳部の挟着部分は、挟着片の端部が広く圧着することになり、従来の取付装置のような締付ボルトの先端部一点で圧着するといった脆弱な緊締力は解消された。」と、なっている。また、「重ね合わせた重合片の上に部材を支持するので、高い支持強度が得られ」る、と、記載されている。
図２２に示された取り付け金具Ａの左ピース１と右ピース２とが連結片に相当し、挟持片１３・２３が挟着片に相当する。そして、上面１１・２１が重合片に相当する。
【０００３】
図２３に示した取り付け金具Ａには、左ピース１と右ピース２とがズレないように、しっかり組み合わせられるような工夫が開示されている（特許文献２参照）。右ピース２には、折り下げ面２４の一部を切り欠いた切り欠き部２４ａが形成されており、左ピース１には、そこに挿入することができる上面延出部１１ａが、上面１１をやや延出することで形成されている。
そして、左ピース１の上面延出部１１ａを右ピース２の切り欠き部２４ａに挿入し、それぞれの側面１２・２２に通されたボルト３をナット５で締め付ける。ボルト３にナット５を強く締め付けるのは、挟持片１３・２３を折板屋根板の馳部に挟み付ける際でよいが、各挟持片１３・２３の間隔をあけて左ピース１と右ピース２とを組み合わせて工場より出荷する場合でも、現場で左右から組み合わせる場合でも、切り欠き部２４ａに上面延出部１１ａを挿入することで、左ピース１と右ピース２とを確実に組み合わせることができる。
【特許文献１】特開２０００−３３６８５７号公報
【特許文献２】意匠登録第９９９６６０号公報
【発明の開示】
【発明が解決しようとする課題】
【０００４】
図２２の取り付け金具Ａは、上向きの固定具３Ｂに固定された屋根上設置物が持ち上がるような力が加わったときに、上面１１・２１は固定具３Ｂを支点に略ヘ字状に曲がりやすかった。側面１２・２２において、ボルト３よりも上位の面は上方に向かって外側方向へ開くように曲がり、ボルト３よりも下位の面は下方に向かって外側方向に開くように曲がって、その面から挟持片１３・２３にかけての面が略く字状になって挟持片１３・２３が馳部９３・９３から外れる恐れがあった。
逆に、屋根上設置物が押しつけられるような力がかかった場合には、側面１２・２２において、ボルト３よりも下位の面が座屈するようになって挟持片１３・２３が馳部９３・９３から外れる恐れがあった。
さらに、左右ピース１・２を組み合わせて工場から出荷する場合には、上面の長穴に固定具３Ｂを通し、側面１２・２２にボルト３を通すが、固定具３Ｂを通す上下の動作とボルト３を通す動作の両方が必要であった。
現場で、左右ピース１・２を馳部９３・９３に取り付ける際には、左右ピース１・２の上面１１・２２が左右方向に動くのを、長穴に挿入されている固定具３Ｂで止める作業が必要であった。
【０００５】
図２３に示した取り付け金具Ａは、持ち上げられたときに、ボルトを支点として各上面が左右に開いて、簡単に上面延出部１１ａが外れてしまう恐れがあった。
図２３の上面延出部１１ａと切り欠き部２４ａとで、左右方向の動きだけで左右ピース１・２を組み合わせることができるが、切り欠き部２４ａは、折り下げ面２４の一部を窓のように切り欠いて形成している。量産するために、金型を使用してこの切り欠き部２４ａを形成する場合、切り欠き部２４ａよりも下方に、ある程度の長さを必要とし、折り下げ面２４の材料寸法を大きくする必要があった。引いては、切り欠き部２４ａよりも下方に面を残した折り下げ面２４であることで、ボルト３を挿入する穴が折り下げ面２４の下側端縁よりも下位に来るように、側面１２・２２の高さを高くする必要もあった。
【０００６】
これまで述べた通り、図２２の取り付け金具Ａは、強度が不足している可能性があった。また、長穴を利用して固定具３Ｂを取り付けたり左右ピースを組み合わせたりすることにより、作業性が低下していた。
図２３の取り付け金具Ａは、図２２同様に左右ピース１・２が簡単に外れる恐れがあった。また、左右ピース１・２を組み合わせやすくするために上面延出部１１ａと切り欠き部２４ａとを形成しているが、材料寸法を多く必要とした。
本願は、比較的強度があり、左ピース１と右ピース２とを簡単に確実に組み合わせることができ、施工性も向上させた取り付け金具Ａ及びその取り付け構造を提供することを目的とする。
【課題を解決するための手段】
【０００７】
上記の課題を解決するために、屋根上設置物用の取り付け金具として、次のような取り付け金具を用いる。
請求項１に記載した屋根上設置物用取り付け金具は、本願発明の上位概念であって、全体を包括する基本形状を示している。
左ピースと右ピースと締め付け具とから成っており、左ピースには、上面と、上面の一側である右側端縁を折り下げた折り下げ面と、他側である左側端縁を略直角に折り下げた側面と、側面の下側端縁を折り下げ面方向に折り曲げた挟持片とが形成されている。
右ピースには、上面と、上面の一側である左側端縁を折り下げた折り下げ面と、他側である右側端縁を略直角に折り下げた側面と、側面の下側端縁を折り下げ面方向に折り曲げた挟持片とが形成されている。
「側面の下側端縁を折り下げ面方向に折り曲げた」というのは、馳部に取り付けたときに、挟持片の先端縁が馳部を挟持することができる方向に折り曲げたということである。側面の下側端縁を略Ｖ字状に折り曲げることもあれば、上面とほぼ平行に折り曲げることもある。また、側面の下側端縁を折り曲げてから立ち上げることもある。  
左ピースまたは右ピースの折り下げ面には、該折り下げ面の下側端縁を上面とは反対方向に略Ｚ字状になるように折り曲げた係合面が形成されている。
このように、それぞれ断面略コ字状の左ピースと右ピースとを、馳部を有する折板屋根板の馳部に、締め付け具を用いて取り付ける。左ピースと右ピースが開口部同士を対向させて組み合わせられ、挟持片が馳部に締め付け具で取り付けられたとき、前記折り下げ面同士は、圧接することができる形状に形成されている。そして、係合面は、折り下げ面の下側端縁よりも下位に位置している。
左ピースの折り下げ面の下側端縁を折り曲げて係合面を形成していない場合には、右ピースの折り下げ面の下側端縁を上面とは反対方向に、たとえば略Ｚ字状に折り曲げた係合面が形成されている。この場合には、左ピースと右ピースが組み合わせられて、締め付け具で馳部に固定されたとき、左ピースの折り下げ面の下側端縁よりも下位に、右ピースに形成された係合面が位置している。下位といっても、折り下げ面の下側端縁近傍が望ましく、左右ピースを組み合わせる際に、案内面にすることができる位置である。
そして、折り下げ面同士が圧接している。折り下げ面同士のほぼ全面が面接触する場合もあるし、線接触する場合もあり、折り下げ面同士のどこかがぶつかり合うようにきつく接している。
右ピースの折り下げ面の下側端縁を折り曲げて係合面を形成していない場合には、左ピースの折り下げ面の下側端縁を上面とは反対方向に折り曲げた係合面が形成されている。このように、左右ピースは、どちらか一方に係合面を形成する構成となっている。
【０００８】
請求項２に記載した屋根上設置物用取り付け金具は、請求項１に加えて、係合面を係止することができる係止部を形成したものである。係合面と組み合わせて係止させることで、課題を解決するために工夫を加えたものである。
それは、係合面が形成されていない方のピースの折り下げ面に、係止部を形成した取り付け金具である。係止部は、係合面が形成されていない方のピースの折り下げ面に、係合面を係止することができる形状に、軒棟方向に間隔をあけて形成されている。
そして、係合面の先端縁を、係合面が形成されていない方の折り下げ面の下側端縁より内側方向に挿入した屋根上設置物用取り付け金具である。
左ピースまたは右ピースの折り下げ面には、係合面を係止することができる係止部が形成されている。右ピースに係合面が形成されている場合には、左ピースに係止部が形成されている。左ピースに係合面が形成されている場合には、右ピースに係止部が形成されている。係止部は、たとえば、折り下げ面から延出された面を折り曲げて形成することもあるし、折り下げ面を所定の寸法で切り欠いて形成することもある。
係止部が形成されているのに加え、係合面の先端縁は、係合面が形成されていない方のピースの折り下げ面の下側端縁よりも下より内側方向に挿入されている。
左ピースと右ピースが組み合わせられて締め付け具で取り付けられたとき、請求項１の構成に加えて、係止部と係合面とが互いに係止し合っていることを特徴としている。
左右ピースが組み合わせられたとき、係合面と係止部とは、次のように互いを係止している。左ピースに係止部が形成され、右ピースに係合面が形成されている場合で説明すると、左ピースの折り下げ面の下側端縁よりも内側方向であって、左ピースの側面方向に向かって、右ピースの係合面の先端縁が挿入されている。このとき、左ピースの係止部と右ピースの係合面とは、軒棟方向及び上下方向にズレるのを防いで互いに係止し合っている。
【０００９】
請求項３は、請求項１または請求項２に記載した取り付け金具の取り付け構造である。
それは、請求項１または請求項２に記載した屋根上設置物用取り付け金具が折板屋根板の山部に載置されており、締め付け具によって、前記屋根上設置物用取り付け金具の各挟持片が折板屋根板の馳部に締め付けられて固定されており、左右ピースの折り下げ面が圧接されており、上面に屋根上設置物が固定される、屋根上設置物用取り付け金具の取り付け構造である。
左ピースと右ピースが開口部同士を対向させて組み合わせられて締め付け具で取り付けられたとき、折り下げ面同士は圧接している。折り下げ面同士のほぼ全面が面接触する場合もあるし、線接触する場合もあり、折り下げ面同士のいずれかの箇所が圧接している。
【００１０】
請求項４は、請求項１または請求項２記載の取り付け金具に、軒側補強片と棟側補強片を形成した取り付け金具の取り付け構造である。
取り付け金具は、左ピース及び右ピースの軒側と棟側となる側に、折板屋根板の馳部と直交する角度で形成された軒側補強片と棟側補強片とを形成する。つまり、左ピースの軒側と棟側、右ピースの軒側と棟側に、それぞれの補強片を形成する。
それぞれの軒側補強片と棟側補強片とは、左ピースまたは右ピースのうち少なくとも一方のピースの軒側補強片及び棟側補強片が、屋根上設置物用取り付け金具が馳部に取り付けられたときに、馳部に係止することができる形状に形成されている。
たとえば、施工された折板屋根板の馳部において、正面から向かって左側の外側馳に凹部が形成されていて、左ピースの挟持片の先端縁が凹部にはまるように、やや上向きになっている場合には、左ピースの各補強片も、馳部の凹部に係止する形状に形成する。
左右の馳部が、山部から略直角に立ち上げられて形成されている場合には、その略直角の形状に合わせて係止する形状にする。また、左右の馳部に凹部がある場合には、それぞれの凹部にはまって係止する形状にするとよい。
いずれにせよ、締め付け具で馳部に取り付けたときに、左ピースまたは右ピースのうち少なくとも一方のピースの軒側補強片及び棟側補強片が、馳部に係止できる形状にすればよい。左右ピースの両側の補強片が係止してもよいし、一方のピースの補強片でもよいし、係止の状態も、いずれかの箇所が馳部に係止していればよい。しかし、各補強片が、馳部にしっかり引っかかったり、馳部をしっかり挟み込んだりする状態で係止しているのが望ましい。
このような取り付け金具の左ピースと右ピースとが、開口部同士を対向させて組み合わせられて折板屋根板の山部に載置されており、屋根上設置物用取り付け金具の各挟持片が折板屋根板の馳部に締め付け具で締め付けられて固定されたときに、請求項３同様に、左右ピースそれぞれの折り下げ面同士が圧接されており、上面に屋根上設置物が固定される屋根上設置物用取り付け金具の取り付け構造である。また、左右ピースのうち少なくとも一方のピースの各補強片が馳部に係止している、屋根上設置物用取り付け金具の取り付け構造である。
【発明の効果】
【００１１】
以下の３つのパターンによって、本願の効果を説明する。
１つ目は、各従来技術の課題ごとに対比させた説明である。２つ目は、各請求項が持つ効果についての説明である。３つ目は、特徴ごとの説明である。
【００１２】
図２２の取り付け金具Ａは、挟持片１３・２３が馳部９３・９３から外れる恐れのあるものであった。
それに比べて本願の屋根上設置物用取り付け金具は、左ピースには、上面と、上面の一側である右側端縁を略直角に折り下げた折り下げ面と、他側である左側端縁を略直角に折り下げた側面と、側面の下側端縁を前記上面方向に折り曲げた挟持片とが形成されている。
右ピースには、上面と、上面の一側である左側端縁を略直角に折り下げた折り下げ面と、他側である右側端縁を略直角に折り下げた側面と、側面の下側端縁を内側方向に折り曲げた挟持片とが形成されている。さらに、上面には長穴はあけられていない。しかも、折り下げ面同士が圧接する。従って、ボルトを締め付けると、挟持片はいっそう馳部を強く締め付けることができる。
図２２の取り付け金具には、本願の折り下げ面に相当する構成は無く、ボルトが強く締め付けられたときにボルトの取り付け箇所の側面がそれぞれ内側方向に曲がる可能性もあった。しかし、本願の場合には、上面から折り下げられた折り下げ面は、馳部に取り付け金具が締め付けられたときに支点となり、馳部を強く締め付ける。これらにより、十分な強度が得られる。
本願は、左ピースまたは右ピースの少なくとも一方の折り下げ面には、該折り下げ面の下側端縁を上面とは反対方向に折り曲げた係合面が形成されている。このような取り付け金具となっているため、左右ピースを組み合わせるときに、係合面に添って折り下げ面を組み合わせればいいので、案内面となって組み合わせやすい。
図２２の場合には、工場での作業の際に必ず、固定具３Ｂを長穴に通す動作とボルト３を通す動作の両方が必要であった。しかし、本願の場合には、固定面に対して折り下げ面を左右方向に摺動させるだけでも組み合わせることができる。また、係合面に折り下げ面を載せるような動きだけでも組み合わせることができる。従って、工場での製品製作の際に、作業性がよい。
さらに、現場での取り付けの際には、側面１２・２２からボルト３とナット５で締め付ければよく、折り下げ面同士が圧接するので、左右ピース１・２の上面１１・２１が左右方向に動くのを止めるという作業は必要ない。
【００１３】
図２３に示した取り付け金具Ａは、持ち上げられたときに、ボルトを支点として各上面が左右に開いて、簡単に上面延出部１１ａが外れてしまう恐れがあった。
それに比べて本願は、折り下げ面同士が圧接して支点となるため、左右ピースがしっかり馳部に締め付けられる。
また、図２３の切り欠き部２４ａは、折り下げ面２４の一部を窓のように切り欠いて形成している。量産するために、金型を使用してこの切り欠き部２４ａを形成する場合、切り欠き部２４ａよりも下方に、ある程度の長さを必要とし、折り下げ面２４の材料寸法を大きくする必要があった。引いては、切り欠き部２４ａよりも下方に面を残した折り下げ面２４であることで、ボルト３を挿入する穴が折り下げ面２４の下側端縁よりも下位に来るように、側面１２・２２の高さを高くする必要もあった。
しかし、本願の取り付け金具は、左右ピースをいっそう組み合わせやすくするために、係合面と、係止部とを形成している。係止部は、係合面が形成されていない方のピースの折り下げ面に、係合面を係止することができる形状に、軒棟方向に間隔をあけて形成されている。そして、係合面の先端縁を、係合面が形成されていない方の折り下げ面の下側端縁より内側方向に挿入する。
このため、折り下げ面を形成する金属板の高さを高くすることなく取り付け金具を製作することができる。従って、取り付け金具全体の板取りを大きくしなくて済み、高さも低くできる。
【００１４】
本願の各請求項と、図２２と図２３に示した従来技術とを対比した場合、本願は、次のような効果を有する。
請求項１に基づいて説明すると、そこに示した屋根上設置物用取り付け金具は、本願発明の上位概念であり、次のような効果を有する。
まず、各折り下げ面は、上面から、たとえば略直角に折り曲げられており、折り下げ面同士が圧接できる形状になっているので、取り付け金具自体の剛性を保つことができる。
左右ピースを組み合わせる際には、一方のピースの折り下げ面の下側端縁を係合面の上面に載せるようにし、係合面を案内面にしながら作業できる。逆に言えば、係合面の上面に、他方のピースの折り下げ面の下側端縁を載せるようにして案内面とすることができる。
しかも、係合面があるため、折り下げ面の下側端縁はそこより下がることがないので、左右ピースの上下のズレを防ぐことができる。折り下げ面の下側端縁が係合面に当たって止まり、ズレが無くなるので、締め付け具を取り付けやすい。
請求項１において、取り付け金具の強度向上に加え、左右ピースを組み合わせる際の作業性の良さも特徴となっている。
【００１５】
請求項２に記載した屋根上設置物用取り付け金具は、請求項１記載の取り付け金具に、次の構成を加えたものである。係合面が形成されていない方のピースの折り下げ面には、係合面を係止することができる形状の係止部が軒棟方向に間隔をあけて形成されており、係合面の先端縁は、係合面が形成されていない方のピースの折り下げ面の下側端縁より内側方向に挿入されている。
係合面を係止することができる形状の係止部は、軒棟方向に間隔をあけて折り下げ面から形成されているため、取り付け金具の製作に必要な板取りが少なくて済み、高さも低く出来るので強度の低下も防げる。
このような係止部が形成されているのに加え、係合面の先端縁は、係合面が形成されていないピース、つまり係止部が形成されている方のピースの折り下げ面の下側端縁よりも下から、内側方向に挿入されている。このため、左ピースと右ピースが組み合わせられるとき、係止部と係合面とが互いに係止し合って、上下及び軒棟方向のズレを無くすことができる。従って、左右ピースがバラバラになりにくく、締め付け具が挿入しやすい。
係合面と係止部とが互いに係止し合っているため、従来に比べて、左右ピースの一体感が保てる。左右ピースが一体化していることにより荷重が分散し、変形をいっそう防いで外れにくい取り付け金具を提供できる。
【００１６】
請求項３は、請求項１または請求項２の取り付け金具の取り付け構造である。請求項１または２の取り付け金具を用いて、馳部を有する折板屋根板に取り付けた場合には、次のような効果を有する。
請求項１の屋根上設置物用取り付け金具による取り付け構造の場合には、取り付け金具が剛性を保つことができ、取り付けに際して、締め付け具を一旦緩めてから左右ピースを組み合わせる際には、一方のピースの係合面を案内面にして、他方のピースの折り下げ面の下側端縁を組み合わせて作業できるので、現場での施工性がよい。しかも、係合面があるため折り下げ面の下側端縁は係合面に当たって止まり、係合面より下がることがないので、左右ピースの上下のズレを防ぐことができ、締め付け具を締め付けやすい。
請求項２の屋根上設置物用取り付け金具による取り付け構造の場合には、締め付け具を一旦緩めてから左右ピースを組み合わせる際、いっそう作業性がよい。係止部が形成されているのに加え、係合面の先端縁は、係合面が形成されていないピースの折り下げ面の下側端縁よりも下から、内側方向に挿入されているため、左ピースと右ピースが組み合わせられるとき、係止部と係合面とが互いに係止し合って、上下及び軒棟方向のズレを無くすことができる。従って、左右ピースがバラバラになりにくく、締め付け具が取り付けやすい。
係合面と係止部とが互いに係止し合っているため、従来に比べて、左右ピースの一体感が保てる。そして、左右ピースが一体化していることにより荷重が分散し、変形をいっそう防いで外れにくい取り付け構造を提供できる。左ピースに係止部があり、屋根上設置物用取り付け金具を取り付けた例で説明すると、その取り付け金具に伝わった屋根上設置物の荷重は、係合面が形成されている右ピースにも伝わる。従って、左ピースだけが持ち上がって変形するのを防ぐことができる。下方へ押しつけようとする力が働いたときには、右ピースでも荷重を分担して受けることができる。
また、一方のピースが軒側方向へズレようとするときには、他方のピースがズレ止めになる。
しかも、請求項１または請求項２の取り付け金具は、折板屋根板の馳部に締め付け具で締め付けられて固定されたときに、それぞれの折り下げ面が圧接されているため、強固な取り付け構造となる。締め付け具で取り付けたとき、折り下げ面同士がぶつかるように圧接し、挟持片で馳部をいっそう強く締め付ける。
【００１７】
請求項４は、請求項１または請求項２の屋根上設置物用取り付け金具に、馳部と直交する角度で軒側補強片と棟側補強片を形成しており、馳部に取り付けられたときには、少なくとも一方のピースの軒側補強片及び棟側補強片が馳部に係止する。
このため、側面の下側端縁を折り曲げて形成した挟持片、つまり側面と同じ長さの挟持片が馳部を締め付けるのに加えて、少なくとも一側の軒側補強片と棟側補強片とが、馳部に係止する。このため、荷重に対して、いっそう強度のある取り付け構造とすることができる。左右両側のピースの軒側補強片と棟側補強片とが係止する場合には、さらに取り付け強度を増すことができる。馳部に食い込むようにして係止しているときには、いっそう強固に締め付ける。
本請求項の場合にも、折板屋根板の馳部に締め付け具で締め付けられて固定されたときに、それぞれの折り下げ面同士がぶつかるように圧接し、強固な取り付け構造となっている。
【００１８】
最後に、本願の特徴ごとに、金具を組み合わせる際の作業性、現場での施工性、強度の順で説明する。
本願の屋根上設置物用取り付け金具を工場より出荷する際、左右ピースを組み合わせ、締め付け具を用いてバラバラにならないようにする。この際、係合面が折り下げ面の下側端縁よりも下位に位置しているため、係合面を案内面として左右ピースを容易に組み合わせることができ、しかも、折り下げ面が係合面に当たって止まる。そして、必ずしも上下左右の動きを必要としない。つまり、左右方向から組み合わせるだけでもボルトを側面穴に通しやすい。
係合面に加えて係止部を形成した場合には、軒棟方向と上下方向のズレを防ぐことができる。このため、左右ピースの動きを止めやすく、締め付け具を取り付けやすい。
このように、左ピースと右ピースとを組み合わせ、締め付け具で締め付けて取り付け金具を成す際に、簡単で確実な作業ができる。
また、このようにして組み合わせられた取り付け金具の締め付け具を、現場で一旦緩めてから馳部に取り付ける際にも、係合面を案内面として組み合わせることができ、係合面に当たって止まり下方に下がることもないので、施工性がよい。係合面に加えて係止部を形成した取り付け金具の場合には、上下方向のズレに加え、軒棟方向のズレも防げるので、いっそう施工性が向上する。
強度について説明すると、まず、上面から折り曲げられた折り下げ面同士を圧接させることで強固な固定ができる。次に、係合面と係止部とで一体化された取り付け金具の場合には、荷重が分散するので、一方のピースに荷重がかかりやすくなるのを防げる。続いて、軒側補強片と棟側補強片とを形成した場合には、軒側補強片と棟側補強片とが馳部に係止する箇所でも荷重を受けることができ、いっそう強度を増すことができる。
このように、折板屋根板の馳部に、本願の屋根上設置物用取り付け金具を用い、上面に太陽電池モジュール等の屋根上設置物を取り付けることで、従来よりも簡単で強固な固定ができる。本願は、課題欄で挙げた従来技術及び従来技術の組み合わせによる欠点を解消することを目的としているものである。
【実施例】
【００１９】
本願において、上位概念となる基本形状の実施例について、図１から図４をもとに説明する。図１は、本願の取り付け金具Ａの実施例の説明図であり、図２から図４は図１の取り付け金具Ａを折板屋根板９の馳部９３に取り付けた状態を示す説明図である。
本実施例の取り付け金具Ａは、金属板を折り曲げ加工したものであり、左ピース１と右ピース２とから成っている。左ピース１と右ピース２は、全体形状が断面略コ字状をしており、それぞれの開口部同士が向かい合うようにして組み合わせる。
本実施例の左ピース１には、上面１１と、上面１１の一側である右側端縁を略直角に折り下げた折り下げ面１４と、他側である左側端縁を略直角に折り下げた側面１２と、側面１２を折り下げ面１４方向に折り曲げた挟持片１３とが形成されている。折り下げ面１４方向というのは、単に外側方向ではないという意味であり、挟持片１３は、本実施例の場合には、側面１２の下側端縁を内側方向に略直角に折り曲げてからやや上向きに立ち上げて形成している。
また、左ピースの側面１２には、側面穴１２ａがあけられている。本実施例の場合には、締め付け具が角根ボルト３とナット５とワッシャー４の組み合わせであるため、角根ボルト３に対応する四角い穴となっている。
さらに、上面１１には、上面穴１１ａが形成されており、本実施例の場合には、ねじ切りが成されており、その上面穴１１ａには、屋根上設置物を取り付けるための固定具３Ｂがワッシャー４を介して、あらかじめ上向きに取り付けられている。
本実施例の場合には、上向きの固定具３Ｂは、施工してある折板屋根板９の馳部９３・９３のほぼ真上に位置するように設定されている。それは、折板屋根板９に対して、偏荷重がかからないようにするためである。
【００２０】
本実施例の右ピース２には、上面２１と、上面２１の一側である左側端縁を略直角に折り下げた折り下げ面２４と、他側である右側端縁を略直角に折り下げた側面２２と、側面２２を折り下げ面１４方向である内側方向に略直角に折り曲げてから略直角に立ち上げた挟持片２３とが形成されている。
また、右ピースの側面２２には、側面穴２２ａがあけられている。
さらに折り下げ面２４を上面２１と反対方向に略直角に折り曲げて係合面２５が形成されている。係合面２５は、左ピース１の折り下げ面１４の下側端縁よりも下位に位置することが出来る形状に形成されている。この係合面２５は、係合面２５の上面に、左ピース１の折り下げ面１４の下側端縁が当接するような寸法に設定しておけば、当接させながらスライドさせて簡単に左右ピース１・２を組み合わせられる。
係合面２５は、左右ピース１・２を組み合わせたときに、折り下げ面１４よりも内側に挿入することができるようになっており、上面２１と同じくらいの十分な幅を有している。
左右ピース１・２の挟持片１３・２３は、側面１２・２２の下側端縁から略レ字状に折り曲げて形成してもよいし、上面１１・２１と略平行な面を形成してから上方に折り曲げて形成してもよい。上方に折り曲げる際には、端縁をまっすぐに立ち上げてもよいし斜めにしてもよい。各挟持片１３・２３が、側面１２・２２から折り下げ面１４・２４方向に向かって折り曲げられ、馳部９３に挟み込むことができる形状をしていればよい。
【００２１】
これまで説明した左ピース１と右ピース２とは、軒棟方向に同じ長さをしている。左右ピース１・２の開口部同士を向かい合わせにして、次のように組み合わせられる。
本実施例の場合には、それぞれの側面穴１２ａ・２２ａは、二箇所ずつあけられていて、ボルト３とワッシャー４とナット５とを２組ずつ用いて、側面穴１２ａ・２２ａを貫通させて組み合わせる。
各側面穴１２ａ・２２ａを通して用いるボルト３は、本実施例の場合には、角根ボルトを用いている。
しかし、側面穴１２ａを丸い穴にし、角根でないボルト３を用いて、左右どちらか一方から挿入して組み合わせることもある。両方を四角い側面穴１２ａ・２２ａにすることも考えられる。
左ピース１と右ピース２とが、ワッシャー４とナット５を介してボルト３を締め付けることで組み合わせられたとき、折板屋根板９の馳部９３・９３に挿入しやすいように、左ピース１の挟持片１３と右ピース２の挟持片２３との間に、間隔をあけておくとよい。つまり、工場から出荷する際には、左ピース１と右ピース２とがバラバラにならず、しかも現場で左右にスライドさせやすいように、緩めにボルト３を締めておくとよい。
【００２２】
本願の取り付け金具Ａは、各側面１２・２２を貫通しているボルト３を介して、左ピース１と右ピース２とを組み合わせて成っている。このとき、右ピース２の係合面２５を案内面として、左ピース１の折り下げ面１４の下側端縁を当接させるようにして組み合わせる。
係合面２５は、案内面の役目を果たすものであるので、図２５のように、折り下げ面２４から厳密に略直角に折り曲げられていなくてもよい。係合面２５を目安として、係合面２５に添って折り下げ面１４を動かせばよいので、斜め下向きでもよい。
このように、右ピース２の係合面２５に添って左ピース１を動かしてボルト３の先を右ピース２の側面２２の穴２２ａから出すことができる。従って、左ピース１と右ピース２とを組み合わせる作業が簡単にできる。
しかも、右ピース２に係合面２５が形成されていて、左ピース１の折り下げ面１４の下側端縁よりも下位に位置することができるようになっているので、左右ピース１・２を組み合わせる際に案内面とすることができる。挟持片方向へのズレ防止にもなり、従って、ボルトも挿入しやすい。
係合面２５の幅を、折り下げ面１４の下側端縁よりも奥へ挿入できる幅にしておくことで、上下方向のズレを防ぐことができる。また、係合面２５と折り下げ面１４との組み合わせは、必ずしも上下左右の両方の動きを必要としない。折り下げ面１４の下側端縁に係合面２５を当てて側面１２の方向へ右ピース２を摺動させるだけでもよい。
【００２３】
続いて、本実施例の取り付け金具Ａの折板屋根板９への取り付け状態について説明する。まず、折板屋根板９について説明する。本実施例に示した折板屋根板９は、山部９１と谷部を交互に形成し、それぞれの山部９１・９１の端縁を立ち上げて形成された馳部９３・９３同士を接合して葺く。この折板屋根板９は、山部９１と谷部との間の斜面にくぼみがあり、そこをタイトフレーム６に嵌め、馳部９３・９３同士を接合するものである。
このようにして施工された折板屋根板９の山部９１上に取り付け金具Ａの挟持片１３・２３を載せる。このとき、左ピース１の挟持片１３の端縁と右ピース２の挟持片２３の端縁との間に間隔をあけ、馳部９３・９３同士の接合箇所にはめる。そして、ボルト３とナット５を用い、ワッシャー４を介して、強く締め付ける。
もし、係合面２５が無ければ、一旦ボルト３を緩めながら、それぞれのピース１・２を外側方向にずらしたとき、１箇所のボルト３で回動して交差するようにして左右ピース１・２が動きやすい。係合面２５を有していることで、上下方向のズレを防げるので、取り付け時の施工性が向上した。係合面２５が折り下げ面１４の案内面となり、ボルト３を他方のピースの側面穴に挿入しやすいからである。
【００２４】
このようにして取り付けられた取り付け金具Ａの上面１１・２１に、本実施例の場合には、軒棟方向に隣り合う太陽電池モジュール７・７が安定して載るようにし、押さえ金具８で固定する。押さえ金具８は、底面８３と、底面８３の向かい合う二辺の端縁を立ち上げた側面８２・８２と、側面８２・８２を外側方向に折り曲げた上面８１・８１とから成っている。その押さえ金具８の底面８３を、取り付け金具Ａの上面１１より上向きに突出している固定具３Ｂにはめ、側面８２・８２が太陽電池モジュール７・７の側面に、上面８１・８１が太陽電池モジュール７・７の上面に当接するようにし、ワッシャー４を介してナット５で締め付ける。
本実施例のように、上向きに突出している固定具３Ｂに押さえ金具８をはめ、ナット５で締め付けるのは容易である。従って、あらかじめ上向きの固定具３Ｂを上面穴１１ａに固定しておいた方がよい。
【００２５】
本実施例の場合には、挟持片１３・２３の端縁を馳部９３・９３に締め付けたとき、取り付け金具Ａの折り下げ面１４・２４同士が、軒棟方向の長さ全体で面接触している。
また、右ピース２の挟持片２３は、側面２２から略直角に内側方向に折り曲げられてから略直角に立ち上げられている。このため、挟持片２３は、一方の山部９１から略直角に立ち上がっている馳部９３に、折り下げ面１４・２４同様、軒棟方向の長さ全体で面接触している。そして、左ピース１の挟持片１３は、側面１２から略直角に折り曲げられてからやや上向きに折り曲げられている。このため、挟持片１３の端縁が馳部９３のくぼみにはまっているが、金属板の厚みである端縁が軒棟方向の長さ全体で、馳部９３のくぼみにはまっている。
右ピース２の挟持片２３が馳部９３に面接触していることで、取り付け金具Ａが持ち上げられたとしても、馳部９３の面に添って持ち上げられるので、傷がつきにくい。
このように、馳部９３・９３に対して、軒棟方向の長さ全体で接触している箇所が多いため、取り付け金具Ａは馳部９３・９３から外れにくい。
【００２６】
図２に示した通り、本実施例では、挟持片１３・２３の端縁を馳部９３・９３に締め付けたとき、取り付け金具Ａの折り下げ面１４・２４同士が、軒棟方向の長さ全体でほぼ平行に面接触している。
しかし、ボルト３の締め具合や、折板屋根板９の馳部９３・９３の形状や馳締め機による馳部９３・９３の締め具合によって、折り下げ面１４・２４同士の圧接の状態が変わる。
折り下げ面１４・２４同士の圧接の状態が図２とは異なる場合について、図１３（ア）（イ）に基づいて説明する。
図１３（ア）の場合には、馳部９３・９３同士の間隔が開いているため、ボルト３で締め付けたときに、折り下げ面１４・２４同士は、下方がやや開き気味になって圧接している。図１３（イ）の場合には、馳部９３・９３同士の間隔が狭いため、ボルト３で締め付けたときに、折り下げ面１４・２４同士は、上方がやや開き気味になって線接触するように圧接している。
（ア）のような場合でも、（イ）のような場合でも、折り下げ面１４・２４同士が、必ず圧接するようになっている。このため、ボルト３で締め付けたときに、折り下げ面１４・２４同士がぶつかり合うようにして支点となるため、挟持片１３・２３で馳部９３・９３を強固に締め付けることができる。
折り下げ面１４・２４同士が圧接することにより、折り下げ面１４・２４は、それ以上動かず、ボルト３を締め付ける際の力が挟持片１３・２３の方へ伝えられる。そうして、挟持片１３・２３が馳部９３・９３を強く締め付けるのである。
このように、本願に係る取り付け金具Ａは、馳部９３・９３を強く締め付けることができるため、図２に示したような折板屋根板９において、タイトフレーム６の無い所に取り付けたとしても、強度を保つことができるものである。
【００２７】
図１から図４によって説明した通り、右ピース２の係合面２５は、上面２１から略直角に折り下げられた折り下げ面２４の下側端縁を、上面２１とは反対方向に略直角に折り曲げて形成している。左ピース１の折り下げ面１４は、上面１１から略直角に折り下げられて形成されている。
係合面２５は略直角の繰り返しの折り曲げであり、折り下げ面１４も上面１１から略直角に折り下げられて形成されているので、剛性がある。
本実施例の係合面２５は、折り下げ面２４から略直角に折り曲げて形成されているので、左ピース１が折板屋根板９側へ押しつけられるような力がかかった場合には、折り下げ面１４の下側端縁を係合面２５が支持することもできる。
さらに係合面２５の左右方向の幅を、左ピース１と右ピース２を強く締め付けたときに、左ピース１の側面１２に達しない幅までの範囲で延ばした場合、馳部９３の形状やサイズに対応しやすくなる。たとえば、左ピース１と右ピース２との間が図２よりも離れてしまう場合、係合面２５の幅が比較的広ければ、左ピース１の折り下げ面１４の下側端縁は、常に係合面２５の上に位置することになる。
【００２８】
本実施例の取り付け金具Ａの上面１１・２１の軒棟方向の長さは、軒棟方向に隣り合う太陽電池モジュール７・７において、下段側の太陽電池モジュール７の棟側下面と、上段側の太陽電池モジュール７の軒側下面とを安定して載せることができる長さである。さらには、軒棟方向に隣り合う太陽電池モジュール７・７を押さえ金具８を介して固定するのに十分な長さを有している。
【００２９】
次に、図５により、他の実施例について説明する。図１から図４に示した取り付け金具Ａと違う点だけを説明する。
図５の取り付け金具Ａは、左ピース１の上面１１には穴があけられておらず、そこから上向きに固定具３Ｂを突出させていない。逆に、右ピース２の上面２１から上向きの固定具３Ｂを突出させている。
このように、押さえ金具８をはめて太陽電池モジュール７を固定するための上向きの固定具３Ｂは、左ピース１の上面１１に取り付けられていてもよいし、図５のように右ピース２の上面２１に取り付けられていてもよい。
【００３０】
図６は、図１から図４に示した取り付け金具Ａに、補強片を形成した実施例を示している。それは、左ピース１と右ピース２の側面１２・２２の軒棟側の端縁をそれぞれ延出させてから、内側方向（つまり、取り付けたときに馳部側となる方向へ）に略直角に折り曲げた四角い面である。
左ピース１と右ピース２に、軒側補強片１ａ・２ａと棟側補強片とが形成されている（それぞれの棟側補強片は、図示せず）。このような四角い面である軒側補強片１ａ・２ａと棟側補強片とは、左ピース１と右ピース２を折り曲げる前の金属板の展開形状において、各角部を切り落とすことで形成できるので、簡易な設備で製作することができる。
軒側補強片１ａ・２ａと棟側補強片とを形成したことで剛性を出すことができ、取り付け金具Ａが、いっそう変形しにくくなった。
【００３１】
図７は、左ピース１の折り下げ面１４の下側端縁を外側方向に略直角に折り曲げて係合面１５を形成し、右ピース２は、上面２１から折り下げた折り下げ面２４を形成しただけのものである。つまり、係合面を右ピース２ではなく左ピース１の方に形成し、係合面１５と折り下げ面２４との関係も、図１の実施例とは左ピース１と右ピース２とで反対になっている。
【００３２】
図８は、取り付け金具Ａの軒棟方向の長さを長くした実施例である。このようにすることで、馳部９３・９３を軒棟方向にわたって掴み込む挟持片１３・２３の長さが長くなり、いっそう長い長さの馳部９３・９３を掴むことができるので強度が増す。しかも、このような長いものにし、軒側補強片１ａ・２ａと棟側補強片とを形成すれば、いっそう強度が増す。
長くすることで折板屋根板９への荷重を等分布荷重にできる。折板屋根板９に荷重が集中し、折板屋根板９への負担が大きくなるのを防ぐことができるのである。
【００３３】
続いて、図９から図１２により、さらに工夫が成された取り付け金具Ａ及びその取り付け構造の実施例について説明する。
図９は、その取り付け金具Ａの分解斜視図であり、図１０から図１２は図９の取り付け金具Ａを折板屋根板９の馳部９３・９３に取り付けた状態を示す説明図である。
本実施例の取り付け金具Ａは、金属板を折り曲げ加工したものであり、左ピース１と右ピース２とから成っている。左ピース１と右ピース２は、全体形状が断面略コ字状をしており、それぞれの開口部同士を向かい合うようにして組み合わせる。
本実施例の左ピース１には、上面１１と、上面１１の一側である右側端縁を略直角に折り下げた折り下げ面１４と、他側である左側端縁を略直角に折り下げた側面１２と、側面１２を折り下げ面１４方向に折り曲げた挟持片１３とが形成されている。その挟持片１３は、本実施例の場合には、側面１２の下側端縁を内側方向に略直角に折り曲げてからやや上向きに立ち上げて形成している。
【００３４】
本実施例の左ピース１の折り下げ面１４は、折り下げ面１４の中央部分を軒棟方向に幅広く切り欠くことで、軒棟側に係止部１４ａ・１４ａを形成してある。これは、後述する係合面２５の先端縁を左ピース１の折り下げ面１４の下側端縁より内側方向に挿入して組み合わせるためのものである。
係止部１４ａ・１４ａは係合面２５を係止することができる形状であり、本実施例の場合には、折り下げ面１４の軒棟方向に間隔をあけて両端に一対形成している。
左ピース１の挟持片１３は、中央部分を端縁から切り欠いてもよい。これは、左ピース１の上面に上向きに突出される固定具３Ｂを取り付ける際、下側方向から通しやすくするためである。
【００３５】
また、左ピースの側面１２には、側面穴１２ａがあけられている。本実施例の場合にも、そこに挿入するボルト３が角根であるため、それに対応する四角い穴となっている。
側面穴１２ａの周囲には、側面１２を外側方向に突出させたリブを形成して側面１２の強度を増してもよい。
そして、側面１２の軒棟側の端縁をそれぞれ延出させてから、内側方向（図６の各補強片と同じ方向）に略直角に折り曲げた軒側補強片１ａと棟側補強片１ｂとを形成している。
しかも、本実施例の軒側補強片１ａと棟側補強片１ｂとは、図１０に示した通り、折板屋根板９の馳部９３において、外側となる馳部９３のくぼみに合わせた形状をしている。
軒側補強片１ａと棟側補強片１ｂとを、このような形状に形成したことで、取り付け金具Ａは、単に側面１２・２２の強度を補強している図６よりもいっそう変形しにくくなって強度が上がった。
左ピース１が馳部９３を締め付けている箇所は、挟持片１３の端縁だけでなく、内側である馳部９３に馳締め機で締め付けられた、外側となる馳部９３のくぼみの形状に合わせてはまり込むようになっている箇所があるからである。
さらに、上面１１には、上面穴１１ａが形成されており、本実施例の場合にも、ねじ切りが成されており、その上面穴１１ａには、屋根上設置物を取り付けるための固定具３Ｂが、あらかじめ上向きに突出されて、ワッシャー４を介して取り付けられている。
【００３６】
本実施例の右ピース２には、上面２１と、上面２１の一側である左側端縁を略直角に折り下げた折り下げ面２４と、他側である右側端縁を略直角に折り下げた側面２２と、側面２２を内側方向に略直角に折り曲げてから略直角に立ち上げた挟持片２３とが形成されている。
また、右ピースの側面２２には、側面穴２２ａがあけられている。側面穴２２ａの周囲には、側面２２を外側方向に突出させたリブを形成して側面２２の強度を増してもよい。
そして、側面２２の軒棟側の端縁をそれぞれ延出させてから、内側方向（上面２１方向）に略直角に折り曲げた軒側補強片２ａと棟側補強片２ｂとを形成している。
しかも、軒側補強片２ａと棟側補強片２ｂとは、図１０に示した通り、折板屋根板９の山部９１から馳部９３にかけての形状に合わせてある。図１０に示した折板屋根板９は、山部９１の一側から略直角に立ち上げられた面を有している。
軒側補強片２ａと棟側補強片２ｂとを、このような形状に合わせて形成したことで、取り付け金具Ａは、図６よりもいっそう変形しにくくなったのは、前述の通りである。
そして、右ピース２が馳部９３を締め付けている箇所は、挟持片２３の端縁だけでなく、軒側補強片２ａと棟側補強片２ｂとの端縁もそうである。これらの軒側補強片２ａと棟側補強片２ｂとは、外側となる馳部９３において、山部９１からの立ち上がり箇所の形状に添って形成されており、その箇所に係止されるからである。
このように、本実施例の場合には、馳部９３・９３を挟持し、馳部９３・９３を締め付ける箇所及び形状に工夫が成されたので、いっそう強度を増した。
各補強片１ａ・１ｂ・２ａ・２ｂが馳部９３・９３と直交する角度で形成されているのに加え、下縁が挟持片１３・２３の形状に合わせた形状になっているからである。
さらに、折り下げ面２４を上面２１と反対方向に略直角に折り曲げて係合面２５が形成されている。本実施例の係合面２５の長さは、左ピース１の係止部１４ａ・１４ａの間にはめることができる長さとなっている。
つまり、折り下げ面１４において、係止部１４ａ・１４ａを形成するために切り欠かれた箇所に係止させることができる長さになっている。
【００３７】
尚、馳部９３・９３と直交する角度で折り曲げた軒側補強片１ａ・２ａと棟側補強片１ｂ・２ｂとは、上面１１・２１から折り下げて形成してもよい。それぞれの側面１２・２２から略直角に折り曲げて形成する面と、上面１１・２１から折り曲げて形成する面とからなっていてもよい。
いずれにせよ、図９及び図１０に示した通り、軒側補強片１ａ・２ａと棟側補強片１ｂ・２ｂの下縁が、挟持片１３・２３の形状に合わせた形状になっている。つまり、左ピース１の挟持片１３の底面の形状に合わせて、下縁が挟持片１３の底面とほぼ平行で略同一の形状になっている。
右ピース２も、軒側補強片２ａと棟側補強片２ｂとは、それぞれの底面の下縁が右ピース２の挟持片２３の底面の形状に合わせた形状になっている。
各補強片をこのような形状にするのが望ましいが、左ピース１または右ピース２のうち少なくとも一方のピースの軒側補強片及び棟側補強片が、本実施例の取り付け金具Ａが馳部９３・９３に取り付けられたときに、そこに係止することができる形状に形成されていればよい。
【００３８】
本実施例の左ピース１と右ピース２は、次のように組み合わせられる。
本実施例の場合には、それぞれの側面穴１２ａ・２２ａは、二箇所ずつあけられていて、ボルト３とワッシャー４とナット５とを２組ずつ用いて、側面穴１２ａ・２２ａを貫通させて組み合わせる。
このとき、左ピース１の軒側の係止部１４ａと棟側の係止部１４ａとの間に、右ピース２の係合面２５を挿入する。図１に示した取り付け金具Ａの場合には、左ピース１と右ピース２とを組み合わせる際、２本のボルト３のうち、１本を緩めに締め、もう１本を締めようとするとき、締めてあるボルト３を中心に、左ピース１と右ピース２が回動するように上下にずれてしまい、ボルト３を挿入しにくい。馳部９３に取り付け金具Ａをかぶせようとするとき、図１の係合面２５では、その先端縁が折り下げ面１４よりも外側方向に離れてしまうからである。
しかし、本実施例の場合には、係止部１４ａと係止部１４ａとの間の切り欠き空間に係合面２５がはまる。そして、左右ピース１・２を外側方向に離しても、係合面２５の先端縁は左ピース１の折り下げ面１４よりも左ピース１の内側方向に挿入されている。このため、左右ピース１・２を外側方向に離してから挟持片１３・２３を寄せる作業がスムーズに行える。
各側面穴１２ａ・２２ａを通して用いるボルト３は、本実施例の場合には、角根を用いている。これは、ねじ頭とねじ切り部との間に角形部を形成したものであり、四角い側面穴１２ａにすっぽりはまり、ボルト３の回転を阻止することができる。
【００３９】
本願の係合面２５は、図２３と異なり、必ずしも略水平でなくてもよい。左ピース１と右ピース２とを組み合わせる際、軒棟方向及び上下方向にずれないようになっていればよい。また、案内面としての機能を果たすことができればよい。従って、図２３のように、作り込みに精度が要求され、挿入しにくい仕組みにしなくてもよい。たとえば、係合面２５は略水平でなく外側方向に向かって折り下げられていてもよい。外側端縁に向かってやや折り下げてもよいし、やや立ち上げるようにしてもよい。
係合面２５と係止部１４ａについて、再度説明すると、図２３とは異なり、右ピース２に形成されている係合面２５は、その先端縁が、左ピース１の係止部１４ａの折り下げ面１４の下側端縁より内側方向に挿入されている。係止部１４ａは、軒棟方向に間隔をあけて、係合面２５を係止することができる形状に形成されている。つまり、係止部１４ａは、軒棟方向に間隔をあけて複数形成され、係合面２５が上下方向及び軒棟方向にズレるのを防ぐ形状になっている。
図９の場合には、折り下げ面１４の下側端縁を係止部１４ａ・１４ａ間とし、略Ｌ字状になった係止部１４ａ・１４ａよりも内側方向に挿入され、上下及び軒棟方向に外れないようになっている。
【００４０】
次に、図１４と図１５について説明する。
前述の通り、係止部１４ａ・１４ａと係合面２５とによって、左ピース１と右ピース２とを軒棟方向及び上下方向にズレのないように、しかも簡単に組み合わせることができる。
図１４や図１５のような実施例によっても、軒棟方向と上下方向のズレを防ぐことができる。
図１４の取り付け金具Ａの左ピース１は、折り下げ面１４の軒棟側を、さらに軒棟方向に延出させてから、側面１２とは反対方向に折り曲げて係止部１４ａ・１４ａを形成している。一方の右ピース２は、折り下げ面２４の下側端縁を側面２２とは反対方向に折り曲げた係合面２５を形成している。その係合面２５は、係止部１４ａ・１４ａの間にはまる長さである。そして、係合面２５の先端縁は、折り下げ面１４の下側端縁より下から挿入される。つまり、折り下げ面１４よりも係合面２５の上面側の方が下に位置するように形成されている。
このため、左右ピース１・２を組み合わせてからボルト３・ワッシャー４・ナット５を用いて取り付け金具Ａを成す際、容易に係合面２５を係止部１４ａ・１４ａに係止することもできる。そして、ボルト３を側面穴１２ａ・２２ａに挿入しやすい。このため、工場で生産して出荷する際に、係止部１４ａ・１４ａ間に係合面２５を入れるが、折り下げ面１４の下側端縁よりも下位から挿入すれば一体化するので、簡単で確実な作業ができる。
図１５の取り付け金具Ａの左ピース１は、折り下げ面１４の軒棟側を、さらに下方に延出させてから、側面１２とは反対方向に折り曲げて係止部１４ａ・１４ａを形成している。右ピース２は、図１４同様に、下側端縁を側面２２とは反対方向に折り曲げた係合面２５を形成している。その係合面２５は、係止部１４ａ・１４ａの間にはまる長さである。そして、係合面２５の先端縁は、折り下げ面１４の下側端縁より下から挿入される。つまり、折り下げ面１４よりも係合面２５の上面側の方が下に位置している。
このため、図１５も、図１４同様に、左右ピース１・２を組み合わせてからボルト３・ワッシャー４・ナット５を用いて取り付け金具Ａを成す際、容易に係合面２５を係止部１４ａ・１４ａに係止することができる。そして、ボルト３を側面穴１２ａ・２２ａに挿入しやすい。このため、工場で生産して出荷する際に、図１４と同じく簡単で動作で確実な組み合わせができる。
このように、左ピース１と右ピース２とを組み合わせる際、軒棟方向と上下方向のズレを無くす手段は、限定されるものではない。左ピース１または右ピース２のどちらかの折り下げ面１４・２４から折り曲げられた係合面を、係合面が形成されていない方のピースの係止部で係止することによって、その機能を果たすことができればよい。
そして、合わせて、作業性を向上させることができればよい。尚、作業性は、工場で取り付け金具Ａを成す際と、現場で施工する際の両方を指す。
図２３のように、折り下げ面２４の中央部分であって、下側端縁から所定の間隔をあけた箇所を一部切り欠いて切り欠き部２４ａに相当する係止部１４ａを形成し、上面を延出させて上面延出部１１ａに相当する係合部２５を形成するのではない。また、係合面２５は、折り下げ面１４の窓のような切り欠き部からではなく、下側端縁より挿入されている。従って、作業性を向上させることができる。
図２３と比べて、係合面２５と係止部１４ａの組み合わせが簡単で確実に行えるのに加
え、板取りも無駄になりにくい。このように折り下げ面１４の下側端縁が開口状態であることが図２３と異なる効果を生みだしている。また、軒棟方向に間隔をあけて係止部１４ａ・１４ａを形成している点も図２３とは異なっている。
【００４１】
図１０から図１２により、係合面２５と係止部１４ａ・１４ａが形成された実施例の取り付け金具Ａの、折板屋根板９への取り付け状態について説明する。まず、折板屋根板９について説明する。本実施例に示した折板屋根板９も、山部９１と谷部を交互に形成し、それぞれの山部９１・９１の端縁を立ち上げて形成された馳部９３・９３同士を接合して葺く。この折板屋根板９は、山部９１と谷部との間の斜面にくぼみがあり、そこをタイトフレーム６に嵌め、さらに馳部９３・９３同士を接合するものである。
このようにして施工された折板屋根板９の山部９１上に取り付け金具Ａの挟持片１３・２３を載せる。このとき、左ピースの挟持片１３の端縁と右ピースの挟持片２３の端縁との間に間隔をあけ、馳部９３・９３同士の接合箇所にはめる。そして、ボルト３とナット５を用い、ワッシャー４を介して、強く締め付ける。
【００４２】
このようにして取り付けられた取り付け金具Ａの上面１１・２１に、軒棟方向に隣り合う太陽電池モジュール７・７が安定して載るようにし、押さえ金具８で固定する。押さえ金具８は、底面８３と、底面８３の向かい合う二辺の端縁を立ち上げた側面８２・８２と、側面８２・８２を外側方向に折り曲げた上面８１・８１とから成っている。その押さえ金具８の底面８３を、上面１１より上向きに突出しているボルト３にはめ、側面８２・８２が太陽電池モジュール７・７の側面に、上面８１・８１が太陽電池モジュール７・７の上面にするようにし、ナット５で締め付ける。
【００４３】
このとき、図１０に示した通り、本実施例の場合には、折り下げ面１４・２４同士が面接触している。また、右ピース２の挟持片２３は、側面２２から略直角に内側方向に折り曲げられてから略直角に立ち上げられている。このため、挟持片２３は、山部９１から略直角に立ち上がっている馳部９３に面接触している。そして、左ピース１の挟持片１３は、側面１２から略直角に折り曲げられてからやや上向きに折り曲げられている。このため、挟持片１３の端縁が馳部９３のくぼみにはまっている。
右ピース２の挟持片２３が馳部９３に面接触していることで、取り付け金具Ａがボルト３とナット５で締め付けられたとき、馳部９３の面に添って締め付けられたあとで、万一持ち上げられたとき、傷がつきにくい。左ピース１は、挟持片１３の端縁が馳部９３のくぼみに添ってはまっているので、そこから外れにくい。
【００４４】
さらに、図９に示した実施例の取り付け金具Ａの場合、左ピース１には、馳部９３のくぼみに合わせた形状の軒側補強片１ａと棟側補強片１ｂとが形成されているので、馳部９３にはまるのは挟持片１３だけでない。軒側補強片１ａと棟側補強片１ｂも、くぼみにすっぽりはまる形状をしているので、その箇所でも馳部９３・９３にしっかり取り付けることができる。
一方の右ピース２にも、山部９１から馳部９３にかけて立ち上げられ、角部がやや丸みを帯びた略直角の形状に合わせた挟持片２３だけでなく、軒側補強片２ａと棟側補強片２ｂとの厚み分の端縁が、左ピース１の軒側補強片１ａと棟側補強片１ｂと同様の形状になって添っている。このため、いっそう強固に馳部９３・９３を挟み込むことができる。
つまり、馳部９３・９３をしっかり挟み込んで締め付けるのは、取り付け金具Ａの軒棟長さと略等しい挟持片１３・２３であるのに加え、馳部９３・９３の長さ方向と直交する軒側補強片１ａ・２ａと棟側補強片１ｂ・２ｂも締め付けるので、いっそう強度が増す。
【００４５】
取り付け時における、右ピース２の係合面２５と左ピース１の折り下げ面１４との関係は、本実施例の場合には、次のようになっている。
折り下げ面１４の係止部１４ａ・１４ａが、折り下げ面１４の下側端縁を所定の形状に切り欠くことで形成されており、右ピース２の係合面２５を、その切り欠き箇所に挿入し、係止部１４ａ・１４ａに係合面２５が引っかかって軒棟方向に外れないようになっている。また、上下方向にも外れないようになっている。
このため、取り付け金具Ａが持ち上げられたときには、右ピース２の係合面２５の上面は、左ピース１の係止部１４ａと係止部１４ａとの間の折り下げ面１４の下側端縁に当接する。逆に、取り付け金具Ａが折板屋根板９側に押しつけられたときには、係合面２５の上面に折り下げ面１４の下側端縁が押しつけられる。
上向きの固定具３Ｂは、左ピース１の上面１１に取り付けられているが、その固定具３Ｂに力が加わったときには、係止部１４ａ・１４ａに右ピース２の係合面２５が組み合わせられているため、左ピース１の力が右ピース２にも伝わり、荷重を分散させることができる。
これまで述べた通り、右ピース２の係合面２５は、上面２１から略直角に折り下げられた折り下げ面２４の下側端縁を、上面２１とは反対方向に略直角に折り曲げて形成している。左ピース１の折り下げ面１４は、上面１１から略直角に折り下げられて形成されている。
さらに係合面２５の左右方向の幅を、左ピース１と右ピース２を強く締め付けたときに、左ピース１の側面１２に達しない範囲で延ばした場合、馳部９３の形状やサイズに対応しやすくなる。たとえば、左ピース１と右ピース２との間が図２よりも離れてしまう場合、係合面２５の幅が比較的広ければ、左ピース１の折り下げ面１４の下端縁は、常に係合面２５の上に位置することになる。
【００４６】
左ピース１の折り下げ面１４の高さは、取り付け金具Ａが持ち上げられたり、折板屋根板９側へ押しつけられたりしたときに、係止部１４ａと係止部１４ａとの間の切り欠き空間に挿入された係合面２５の上面側と折り下げ面１４の下端縁とが当接することができ、かつ、係止部１４ａ・１４ａを形成することができる高さである。
右ピース２の係合面２５と左ピース１の折り下げ面１４との関係は、本実施例の場合には、図１の取り付け金具Ａとは異なり、係合面２５が折り下げ面１４の下側端縁に当接するとはいえ、係止部１４ａ・１４ａの内側であって、係止部１４ａ・１４ａにはまって引っかかる箇所である。
係止部１４ａ・１４ａが形成されていることで、折板屋根板９の山部９１上に取り付け金具Ａが載せられ、馳部９３に締め付けて挟み込むようにして取り付けられたときに、係合面２５と組み合わされて、図１よりも機能を向上させることができた。
つまり、左ピース１と右ピース２とがバラバラにならないように、工場よりの出荷時点または現場での取り付け前に、あらかじめ組み合わせておくときに、簡単で確実に組み合わせることができる。そして、施工の際に、一旦左右ピース１・２をそれぞれ外側方向に離して馳部９３・９３に取り付ける際もズレをいっそう防げるので施工性がよい。これら作業性の良さに加え、側面１２・２２に挿入されたボルト３を締め付けて馳部９３・９３に取り付けたときにも、左ピース１と右ピース２の両方で荷重を受けるので、強固な固定ができる。
上向きの固定具３Ｂにかかる荷重によって、左ピース１を介して太陽電池モジュール７が持ち上がろうとするような場合には、係合面２５に当接することによって押さえられる。また、軒側方向に下がろうとするような場合にも、係合面２５によって下がりにくくなる。
本実施例の取り付け金具Ａの上面１１・２１の軒棟方向の長さも、軒棟方向に隣り合う太陽電池モジュール７・７において、下段側の太陽電池モジュール７の棟側下面と、上段側の太陽電池モジュール７の軒側下面とを安定して載せることができる長さである。さらには、軒棟方向に隣り合う太陽電池モジュール７・７を押さえ金具８を介して固定することができる長さを有している。
【００４７】
これまで説明してきた実施例では、折板屋根板９は、タイトフレーム６に、山部９１と谷部との間にある斜面のくびれを嵌合させ、馳部９３・９３同士を接続して施工するものであった。
続いて説明する実施例は、図１７に示した通り、折板屋根板９が斜面のくびれの無いものであり、谷部の両側を立ち上げた山部９１・９１と、その端縁をさらに立ち上げてから馳部９３・９３を形成している。吊子６１を用いてタイトフレーム６に取り付けるものである。
これに用いる取り付け金具Ａの実施例について図１６から図１９に基づいて説明する。図１６は、その分解斜視図であり、図１７から図１９は、その施工状態の説明図である。
図１７に示した折板屋根板９は、タイトフレーム６・６間に谷部を落とし込み、隣り合う折板屋根板９の馳部９３・９３同士を馳組みしたときに内側となる側の馳部９３に吊子６１を引っ掛けてタイトフレーム６に固定する。そして、そこに、隣りに施工する折板屋根板９の馳部９３をかぶせ、馳締め機で内側の馳部９３に締め付けて施工する。
【００４８】
ここに取り付ける取り付け金具Ａは、図１から図４に示した取り付け金具Ａとほぼ同様の構成である。以下に、異なる点のみを説明する。
図１７に示した折板屋根板９の馳部９３は、山部９１・９１から立ち上げられて形成されているが、山部９１・９１の端縁を立ち上げ、一旦外側方向に膨出させてから形成されている。このため、本実施例の左ピース１の挟持片１３は、その端縁が、馳部９３の立ち上がり箇所から外側方向に膨出される箇所にはまるように、角度と長さを設定している。
本実施例の取り付け金具Ａの右ピース２は、図１に示した取り付け金具Ａの右ピース２と兼用となっている。                                      
このほか、右ピース２の挟持片２３を左ピース１の挟持片１３と同じように斜め上方向に立ち上げ、外側となる馳部９３の立ち上がり箇所から外側方向に膨出される箇所の角部に端縁がはまるようにしてもよい。
本実施例の右ピース２は、図１の取り付け金具Ａの右ピース２と兼用させた部材となっているため、金型製造コストの削減ができる。折板屋根板９の馳部９３・９３の形状によっては、左ピース１を兼用させたり、左右ピース１・２を兼用させることもできる。
このように、馳部９３・９３の形状が異なっていても、同様の構成の取り付け金具Ａを設計変更して用いることによって、屋根上設置物を簡単に確実に取り付けることができる。施工状態も、図２から図４の実施例について説明したものと同様である。
【００４９】
図２０と図２１とは、図１７の折板屋根板９に用いられる取り付け金具Ａの他の実施例である。
図２０は、図１・図２に示した取り付け金具Ａに四角い面の補強片を形成した図６にならって、四角い面の補強片を形成したものである。
左ピース１と右ピース２の側面１２・２２の軒棟側の端縁をそれぞれ延出させてから、内側方向（上面１１・２１方向）に略直角に折り曲げてある。左ピース１と右ピース２に、軒側補強片１ａ・２ａと棟側補強片とが形成されている（それぞれの棟側補強片は、図示せず）。軒側補強片１ａ・２ａと棟側補強片とを形成したことで、取り付け金具Ａの強度を増している。図１７に示した右ピース２は、図６に示した右ピース２と同じものである。
図２１は、図９・図１０に示した取り付け金具Ａにならった軒側補強片１ａ・２ａと棟側補強片（それぞれの棟側補強片は、図示せず）とを形成したものである。本実施例の右ピース２は、図１０に示した右ピース２と同じものである。 
このように、軒側補強片１ａ・２ａと棟側補強片を形成した場合でも、右ピース２を共通させることができる。図２１に示した右ピース２は、図１０の右ピース２と兼用させている。図２１の場合には、外側の馳部９３の形状が、山部９１から立ち上げられてから外側方向に一旦膨出されており、くびれを形成したものとなっている。このため、本実施例の場合には、挟持片２３だけでなく軒側補強片２ａと棟側補強片も、そのくびれ箇所に食い込んで、締め付けることができる。
しかし、折板屋根板９ごとに、馳部９３・９３の形状に合わせた軒側補強片１ａ・２ａと棟側補強片とを製作してもよい。
左ピース１と右ピース２の組み合わせは、左が馳部９３・９３に食い込むような形状の補強片のもの、右が四角い補強片のものでもよい。
【図面の簡単な説明】
【００５０】
【図１】本願に係る取り付け金具Ａの一実施例を示す説明図である。
【図２】図１の取り付け金具Ａの折板屋根板９への取り付け状態を示す正面図である。
【図３】図１の取り付け金具Ａの折板屋根板９への取り付け状態を示す側面図である。
【図４】図１の取り付け金具Ａの折板屋根板９への取り付け状態を示す斜視図である。
【図５】本願に係る取り付け金具Ａの一実施例を示す説明図であり、折板屋根板９に取り付けた状態を示す正面図である。
【図６】本願に係る取り付け金具Ａの一実施例を示す説明図であり、折板屋根板９に取り付けた状態を示す正面図である。
【図７】本願に係る取り付け金具Ａの一実施例を示す説明図であり、折板屋根板９に取り付けた状態を示す正面図である。
【図８】本願に係る取り付け金具Ａの一実施例を示す説明図である。
【図９】本願に係る取り付け金具Ａの一実施例を示す説明図である。
【図１０】図９の取り付け金具Ａの折板屋根板９への取り付け状態を示す正面図である。
【図１１】図９の取り付け金具Ａの折板屋根板９への取り付け状態を示す側面図である。
【図１２】図９の取り付け金具Ａの折板屋根板９への取り付け状態を示す斜視図である。
【図１３】（ア）（イ）は、本願に係る取り付け金具Ａの折り下げ面に関する説明図である。
【図１４】本願に係る取り付け金具Ａの係合面と係止部の実施例を表す説明図である。
【図１５】本願に係る取り付け金具Ａの係合面と係止部の実施例を表す説明図である。
【図１６】本願に係る取り付け金具Ａの一実施例を示す説明図である。
【図１７】図１６の取り付け金具Ａの折板屋根板９への取り付け状態を示す正面図である。
【図１８】図１６の取り付け金具Ａの折板屋根板９への取り付け状態を示す側面図である。
【図１９】図１６の取り付け金具Ａの折板屋根板９への取り付け状態を示す斜視図である。
【図２０】本願に係る取り付け金具Ａの一実施例を示す説明図である。
【図２１】本願に係る取り付け金具Ａの一実施例を示す説明図である。
【図２２】従来技術の説明図である。
【図２３】従来技術の説明図である。
【符号の説明】
【００５１】
Ａ      取り付け金具
１      左ピース
１ａ    軒側補強片
１ｂ    棟側補強片
１１    上面
１１ａ  上面穴
１２    側面
１２ａ  側面穴
１３    挟持片
１４    折り下げ面
１４ａ  係止部
１５    係合面
２      右ピース
２ａ    軒側補強片
２ｂ    棟側補強片
２１    上面
２２    側面
２２ａ  側面穴
２３    挟持片
２４    折り下げ面
２４ａ  切り欠き部
２５    係合面
３      ボルト
３Ｂ    固定具
４      ナット
５      ワッシャー
６      タイトフレーム
６１    吊子
７      太陽電池モジュール
８      押さえ金具
９      折板屋根板
９１    山部
９３    馳部
【図１】
0004693135.tif 000002
【図２】
0004693135.tif 000003
【図３】
0004693135.tif 000004
【図４】
0004693135.tif 000005
【図５】
0004693135.tif 000006
【図６】
0004693135.tif 000007
【図７】
0004693135.tif 000008
【図８】
0004693135.tif 000009
【図９】
0004693135.tif 000010
【図１０】
0004693135.tif 000011
【図１１】
0004693135.tif 000012
【図１２】
0004693135.tif 000013
【図１３】
0004693135.tif 000014
【図１４】
0004693135.tif 000015
【図１５】
0004693135.tif 000016
【図１６】
0004693135.tif 000017
【図１７】
0004693135.tif 000018
【図１８】
0004693135.tif 000019
【図１９】
0004693135.tif 000020
【図２０】
0004693135.tif 000021
【図２１】
0004693135.tif 000022
【図２２】
0004693135.tif 000023
【図２３】
0004693135.tif 000024